(57)【要約】【課題】  選局中の放送局における放送電波の受信感度に応じて、同一放送が行われている他の放送局へと選局の切り換えを行うことが可能な選局切換装置を提供すること。【解決手段】ＣＰＵ７は所定時間毎に、チューナＡ３から選局音声信号を取得するとともに、チューナＢ５が受信周波数を切り換えて検波した他局音声信号の各々を取得し、順番に周波数分析器６へ出力して、選局音声信号と各他局音声信号との一致度が所定の基準値よりも高い他局音声信号の受信周波数を記憶する。選局音声信号の受信感度と、記憶された各受信周波数における他局音声信号の受信感度とを算出し、選局音声信号の受信感度が、算出した各他局音声信号の受信感度のいずれかより弱い場合、受信感度の最も強い他局音声信号の受信周波数に対応するラジオ放送局のチャンネルへと、チャンネル切り換えを行うよう指示するチャンネル切換信号を生成し、チューナＡ３へと出力する。【選択図】      図１
2006295848.tif 000002
【特許請求の範囲】
【請求項１】
放送視聴装置が選局中の放送局の放送電波を継続して受信する第１の受信手段と、
受信周波数を変更して複数の放送局の放送電波を受信する第２の受信手段と、
前記第１の受信手段が受信した放送電波と、前記第２の受信手段が受信した放送電波の各々との一致度合いを、それぞれ算出する一致度算出手段と、
前記第１の受信手段が受信した放送電波の受信感度と、前記一致度算出手段が算出した一致度合いが所定の基準値よりも高い放送電波の受信感度とを算出する受信感度算出手段と、
前記受信感度算出手段が算出した、前記第１の受信手段が受信した放送電波の受信感度と、前記一致度合いが所定の基準値よりも高い放送電波の受信感度とを比較するとともに、前記第１の受信手段が受信した放送電波の受信感度の方が、前記一致度合いが所定の基準値よりも高い放送電波の受信感度よりも弱い場合には、前記放送視聴機器が選局中の放送局を、前記一致度合いが所定の基準値よりも高い放送電波の放送局へと切り換える制御手段とを備えることを特徴とする選局切換装置。
【請求項２】
前記一致度算出手段は、前記第１の受信手段が受信した放送電波における周波数特性と、前記第２の受信手段が受信した放送電波の各々における周波数特性との一致度合いを、それぞれ算出することを特徴とする請求項１記載の選局切換装置。
【請求項３】
前記一致度算出手段は、前記第１の受信手段が受信した放送電波に含まれる画像データと、前記第２の受信手段が受信した放送電波の各々に含まれる画像データとの一致度合いを、それぞれ算出することを特徴とする請求項１または請求項２記載の選局切換装置。
【請求項４】
前記受信感度算出手段は、前記第１の受信手段が受信した放送電波のパワースペクトルと、前記一致度合いが所定の基準値よりも高い放送電波のパワースペクトルとから、当該各放送電波の受信感度を算出することを特徴とする請求項１から請求項３のいずれかに記載の選局切換装置。
【請求項５】
前記制御手段は、前記切り換え動作を行う際、当該動作を行う旨を報知することを特徴とする請求項１から請求項４のいずれかに記載の選局切換装置。
【請求項６】
前記選局切換装置は、前記放送視聴機器と共に車両に搭載されて動作することを特徴とする請求項１から請求項５のいずれかに記載の選局切換装置。
【発明の詳細な説明】
【技術分野】
【０００１】
本発明は、放送視聴機器が選局中の放送局の切り換えを行う選局切換装置に関する。
【背景技術】
【０００２】
従来、車両の属する地域に存在する放送局の名称を通知する装置が公知である。例えば、従来の装置では、各地域に属する放送局の名称がリストとして予め記憶される。そして、車両の現在位置を常時検出するとともに、検出した位置が属する地域に存在する放送局の名称を上述のリストから検索して通知する。
【発明の開示】
【発明が解決しようとする課題】
【０００３】
従来装置では、車両の属する地域に存在する放送局の名称を通知している。しかしながら、従来装置では、各放送局からの放送電波の受信感度については考慮されていない。そのため、車両の進行と共に選局中の放送局からの放送電波の受信感度が弱くなった場合には、ユーザーは手動で選局中の放送局を切り換える必要がある。
【０００４】
本発明は、上記の問題に鑑みてなされたものであり、選局中の放送局における放送電波の受信感度に応じて、同一放送が行われている他の放送局へと選局切り換えを行うことが可能な選局切換装置の提供を目的とする。
【課題を解決するための手段】
【０００５】
上記目的を達成するために、請求項１に記載の選局装置では、放送視聴装置が選局中の放送局の放送電波を継続して受信する第１の受信手段と、受信周波数を変更して複数の放送局の放送電波を受信する第２の受信手段と、第１の受信手段が受信した放送電波と、第２の受信手段が受信した放送電波の各々との一致度合いを、それぞれ算出する一致度算出手段と、第１の受信手段が受信した放送電波の受信感度と、一致度算出手段が算出した一致度合いが所定の基準値よりも高い放送電波の受信感度とを算出する受信感度算出手段と、受信感度算出手段が算出した、第１の受信手段が受信した放送電波の受信感度と、一致度合いが所定の基準値よりも高い放送電波の受信感度とを比較するとともに、第１の受信手段が受信した放送電波の受信感度の方が、一致度合いが所定の基準値よりも高い放送電波の受信感度よりも弱い場合には、放送視聴機器が選局中の放送局を、一致度合いが所定の基準値よりも高い放送電波の放送局へと切り換える制御手段とを備えることを特徴とする。
【０００６】
第２の受信手段が受信した複数の放送局の放送電波のうち、第１の受信手段が受信した放送電波との一致度合いが所定の基準値よりも高い放送電波は、放送視聴機器が選局中の放送局と同一放送が行われている他の放送局の放送電波である可能性が高い。本選局切換装置では、第１の受信手段が受信した放送電波の受信感度と、一致度算出手段が算出した一致度合いが所定の基準値よりも高い放送電波の受信感度とを受信感度算出手段によって算出するとともに、第１の受信手段が受信した放送電波の受信感度の方が、一致度合いが所定の基準値よりも高い放送電波の受信感度よりも弱い場合、制御手段は、放送視聴機器が選局中の放送局を、一致度合いが所定の基準値よりも高い放送電波の放送局へと切り換える。これにより、選局中の放送局における放送電波の受信感度に応じて、同一放送が行われている他の放送局へと選局切り換えを行うことが可能となる。
【０００７】
請求項２に記載のように、一致度算出手段は、第１の受信手段が受信した放送電波における周波数特性と、第２の受信手段が受信した放送電波の各々における周波数特性との一致度合いを、それぞれ算出することが望ましい。第１の受信手段が受信した放送電波における周波数特性と、第２の受信手段が受信した放送電波の各々における周波数特性との一致度合いを算出することで、放送視聴機器が選局中の放送局と同一放送が行われている他の放送局を確実に判別することができる。
【０００８】
請求項３に記載のように、一致度算出手段は、第１の受信手段が受信した放送電波に含まれる画像データと、第２の受信手段が受信した放送電波の各々に含まれる画像データとの一致度合いを、それぞれ算出することとしても良い。第１の受信手段が受信した放送電波に含まれる画像データと、第２の受信手段が受信した放送電波の各々に含まれる画像データとの一致度合いを算出することとしても、放送視聴機器が選局中の放送局と同一放送が行われている他の放送局を確実に判別することができる。
【０００９】
請求項４に記載のように、受信感度算出手段は、第１の受信手段が受信した放送電波のパワースペクトルと、一致度合いが所定の基準値よりも高い放送電波のパワースペクトルとから、当該各放送電波の受信感度を算出することが望ましい。パワースペクトルを利用することで、第１の受信手段が受信した放送電波の受信感度と、一致度合いが所定の基準値よりも高い放送電波の受信感度とを、確実に算出することができる。
【００１０】
請求項５に記載のように、制御手段は、切り換え動作を行う際、当該動作を行う旨を報知することが望ましい。これにより、ユーザーは制御手段によって放送視聴手段の選局中の放送局が切り換えられたことを察知できる。
【００１１】
請求項６に記載のように、選局切換装置は、放送視聴機器と共に車両に搭載されて動作することが望ましい。車両に搭載された放送視聴機器が選局中の放送局の放送電波の受信感度は、車両の移動と共に変化する。本選局切換装置を利用することで、車両の移動と共に、放送視聴機器が選局中の放送局の放送電波の受信感度が弱くなった場合でも、当該機器が選局中の放送局を、同一放送で放送電波の受信感度がより強い放送局へと適切に切り換えることができる。
【発明を実施するための最良の形態】
【００１２】
（第１実施形態）
図１は、本発明の第１の実施形態における選局切換装置の全体構成を示すブロック図である。本選局切換装置は車載用ラジオに組み込まれて動作する。
【００１３】
図１に示すように、アンテナＡ１およびアンテナＢ２は、車載用のモノポールアンテナであり、複数のラジオ放送局から送信されるラジオ電波の各々を受信する。前述のアンテナは、モノポールアンテナに限定されるものではなく、小型のダイポールアンテナやフィルムアンテナ等を利用することとしても良い。
【００１４】
チューナＡ３は、選局されたチャンネル（ラジオ放送局）からのラジオ電波を検波して、音声信号を生成する信号処理機器である。具体的には、チューナＡ３は、アンテナＡ１が受信した複数のラジオ電波のうち、選局されたチャンネルのラジオ電波を検波し、当該電波に含まれる音声信号と搬送波とを分離する。そして、分離した音声信号をスピーカ４へ出力して音声出力を行わせる。さらに、チューナＡ３は、チャンネル切換信号を取得すると、当該信号の示すチャンネルへと、選局中のチャンネルを切り換える。また、チューナ３は、分離した音声信号を選局音声信号として出力する。
【００１５】
チューナＢ５は、チューナＡ３と同様の信号処理機器であり、アンテナＢ２が受信した複数のラジオ電波を、受信周波数を切り換えて順番に検波し、当該電波に含まれる音声信号と搬送波とを分離するとともに、分離した音声信号の各々を他局音声信号として順番に出力する。
【００１６】
周波数分析器６は、公知のスペクトルアナライザであり、取得した選局音声信号および他局音声信号に含まれる周波数成分（周波数特性）を抽出し、周波数空間における選局音声信号と他局音声信号との一致度を算出する。
【００１７】
ＣＰＵ７は、公知のコンピュータから構成され、選局スイッチ８によって任意のチャンネルが選択されると、選局中のチャンネルを当該チャンネルへと切り換えるよう指示するチャンネル切換信号を、チューナＡ３へと出力する。
【００１８】
さらに、ＣＰＵ７は、チューナＡ３が選局中のチャンネルを、同一放送が行われている他のチャンネルへと切り換えることも行う。具体的には、ＣＰＵ７は所定時間毎に、チューナＡ３から選局音声信号を取得するとともに、チューナＢ５が受信周波数を切り換えて検波した他局音声信号の各々を取得し、順番に周波数分析器６へ出力する。その後、周波数分析器６が順番に算出する選局音声信号と各他局音声信号との一致度を取得し、取得した一致度が所定の基準値よりも高い他局音声信号の受信周波数、すなわち、選局音声信号が含まれるラジオ電波のラジオ放送局と同一放送を行っている可能性が高い他のラジオ放送局のラジオ電波の受信周波数を記憶する。さらにＣＰＵ７は、選局音声信号のパワースペクトルと、記憶された各受信周波数における他局音声信号のパワースペクトルとから、選局音声信号の受信感度と、記憶された各受信周波数における他局音声信号の受信感度とを算出する。算出した選局音声信号の受信感度が、算出した各他局音声信号の受信感度のいずれかより弱い場合、ＣＰＵ７は、受信感度の最も強い他局音声信号の受信周波数に対応するラジオ放送局のチャンネルへと、チャンネル切り換えを行うよう指示するチャンネル切換信号を生成し、チューナＡ３へと出力する。算出した選局音声信号の受信感度が、算出した各他局音声信号のいずれの受信感度よりも強い場合には、チャンネル切換信号の生成および出力は行わない。
【００１９】
図２は、本実施形態の選局切換装置が、チューナＡ３が選局中のチャンネルを、同一放送が行われている他のチャンネルへと切り換える処理に関するフローチャートである。本フローチャートの処理は、所定時間毎に実行される。
【００２０】
ステップ２０１では、ＣＰＵ７は、チューナＡ３から選局音声信号を取得する。ステップ２０２では、チューナＢ５が受信周波数を切り換えて検波した他局音声信号を取得する。ステップ２０３では、ステップ２０１で取得した選局音声信号、および、ステップ２０２で取得した他局音声信号を、周波数分析器６へと出力する。これにより、周波数分析器６は、前述の選局音声信号の周波数成分と他局音声信号の周波数成分との一致度の算出を行う。
【００２１】
ステップ２０４では、ステップ２０３で出力した選局音声信号と他局音声信号との一致度合いを、周波数分析器６から取得する。ステップ２０５では、ステップ２０４で取得した一致度が所定の基準値より高いか否かを判定する。所定の基準値より高い場合は、ステップ２０６へ進み、ステップ２０２で他局音声信号を取得した際のチューナＢ４の受信周波数を記憶し、ステップ２０７へ進む。所定の基準値より低い場合は、ステップ２０７へ進む。
【００２２】
ステップ２０７では、チューナＢ４から各受信周波数における他局音声信号を全て取得して一致度を算出したか否かを判定する。チューナＢ４から各受信周波数における他局音声信号を全て取得して一致度を算出した場合は、ステップ２０８へ進む。そうでない場合は、ステップ２０２へ戻り、上述の処理を繰り返す。
【００２３】
ステップ２０８では、選局音声信号と、ステップ２０６で記憶した各受信周波数における他局音声信号の各々とのパワースペクトルから、各信号の受信感度を算出する。ステップ２０９では、ステップ２０８で算出された選局音声信号の受信感度が、同じくステップ２０８で算出された他局音声信号のいずれかの受信感度よりも弱いか否かを判定する。選局音声信号の受信感度が他局音声信号のいずれかの受信感度よりも弱い場合は、ステップ２１０へ進む。選局音声信号の受信感度がいずれの他局音声信号の受信感度よりも大きい場合は、処理を終了する。
【００２４】
ステップ２１０では、受信感度の最も強い他局音声信号の受信周波数と対応するラジオ放送局へとチャンネル切り換えを行うチャンネル切換信号を生成し、チューナＡ３へと出力する。ステップ２１１では、チューナＡ３の選局中のチャンネルが切り換えられた旨の案内音声を、チューナＡ３を介してスピーカ４から出力させ、処理を終了する。これにより、ユーザーはチューナＡ３が選局中のチャンネルが切り換えられたことを察知できる。
【００２５】
このように、本実施形態の選局切換装置では、ＣＰＵ７は所定時間毎に、チューナＡ３から選局音声信号を取得するとともに、チューナＢ５が受信周波数を切り換えて検波した他局音声信号の各々を取得し、順番に周波数分析器６へ出力する。そして、周波数分析器６が順番に算出する選局音声信号と各他局音声信号との一致度を取得し、取得した一致度が所定の基準値よりも高い他局音声信号の受信周波数を記憶する。その後、選局音声信号のパワースペクトルと、記憶された各受信周波数における他局音声信号のパワースペクトルとから、選局音声信号の受信感度と、記憶された各受信周波数における他局音声信号の受信感度とを算出し、算出した選局音声信号の受信感度が、算出した各他局音声信号の受信感度のいずれかより弱い場合、受信感度の最も強い他局音声信号の受信周波数に対応するラジオ放送局のチャンネルへと、チャンネル切り換えを行うよう指示するチャンネル切換信号を生成して、チューナＡ３へ出力する。これにより、チューナＡ３が選局中のチャンネルにおけるラジオ電波の受信感度に応じて、当該チューナが選局すべきチャンネルを、同一放送が行われている他のラジオ放送局のチャンネルへと切り換えることが可能となる。
【００２６】
（第２実施形態）
次に、本発明の第２の実施形態について説明する。本実施形態の選局切換装置は、車載用ＴＶに組み込まれて動作するものであり、チューナＡ３が分離した画像信号が示す画像と、他のＴＶ放送局からのＴＶ電波に含まれる画像信号が示す画像との一致度とを算出し、チューナＡ３が選局中のチャンネルを他のチャンネルに切り換えるか否かを決定する。上述した点が、本実施形態のポイントである。
【００２７】
図３は、本発明の第２の実施形態における選局切換装置の全体構成を示すブロック図である。
【００２８】
図３に示すように、チューナＡ３は、選局されたチャンネルのＴＶ電波を検波して、画像信号および音声信号を生成する信号処理機器である。具体的には、チューナＡ３は、アンテナＡ１が受信した複数のＴＶ電波のうち、選局されたチャンネルのＴＶ電波を検波し、当該電波に含まれる画像信号および音声信号と搬送波とを分離する。そして、分離した画像信号をモニタ９へ出力して画像表示させるとともに、分離した音声信号をスピーカ４へ出力して音声出力を行わせる。また、チューナＡ３は、分離した画像信号を選局画像信号として出力することも行う。
【００２９】
チューナＢ５は、アンテナＢ２が受信した複数のＴＶ電波を、受信周波数を切り換えて順番に検波し、当該電波に含まれる画像信号および音声信号と搬送波とを分離するとともに、分離した画像信号の各々を他局画像信号として順番に出力する。
【００３０】
画像認識機器１０は、公知のコンピュータから構成され、取得した選局画像信号の示す画像と、取得した他局画像信号の示す画像との一致度を算出する。
【００３１】
ＣＰＵ７は、前述の実施形態の場合と同様、チューナＡ３が選局中のチャンネルを、同一放送が行われている他のチャンネルへと切り換える。具体的には、ＣＰＵ７は所定時間毎に、チューナＡ３から選局画像信号を取得するとともに、チューナＢ５が受信周波数を切り換えて検波した他局画像信号の各々を取得し、順番に画像認識機器１０へ出力する。その後、画像認識機器１０が順番に算出する、選局画像信号の示す画像と各他局画像信号の示す画像との一致度を取得し、取得した一致度が所定の基準値をよりも高い他局画像信号の受信周波数、すなわち、選局画像信号が含まれるＴＶ電波のＴＶ放送局と同一放送を行っている可能性が高い他のＴＶ放送局のＴＶ電波の受信周波数を記憶する。さらにＣＰＵ７は、選局画像信号のパワースペクトルと、記憶された各受信周波数における他局画像信号のパワースペクトルとから、選局画像信号の受信感度と、記憶された各受信周波数における他局画像信号の受信感度とを算出する。算出した選局画像信号の受信感度が、算出した各他局画像信号の受信感度のいずれかより弱い場合、ＣＰＵ７は、受信感度の最も強い他局音声信号の受信周波数に対応するＴＶ放送局のチャンネルへと、チャンネル切り換えを行うよう指示するチャンネル切換信号を生成し、チューナＡ３へと出力する。算出した選局画像信号の受信感度が、算出した各他局画像信号のいずれの受信感度よりも強い場合には、チャンネル切換信号の生成および出力は行わない。
【００３２】
その他の構成・動作に関しては、前述した第１の実施形態の場合と同様であるため、説明を省略する。
【００３３】
図４は、本実施形態の選局切換装置が、チューナＡ３が選局中のチャンネルを、同一放送が行われている他のチャンネルへと切り換える処理に関するフローチャートである。本フローチャートの処理は、前述した第１の実施形態の図２のフローチャートにおいて、選局音声信号を選局画像信号に読み替え、他局音声信号を他局画像信号に読み替えるとともに、周波数分析器６を画像認識機器１０に読み替え、ラジオ放送局をＴＶ放送局に読み替えることで、図２のフローチャートと同様の処理となるため、説明を省略する。
【００３４】
このように、本実施形態の選局切換装置では、選局画像信号が示す画像と他局画像信号の各々が示す画像との一致度を算出し、チューナＡ３が選局中のチャンネルを他のチャンネルに切り換えるか否かを決定する。このようにして、車載用ＴＶが選局中のＴＶ放送局と同一放送が行われているＴＶ放送局を確実に判別するとともに、選局画像信号を含むＴＶ電波の受信感度に応じて、チャンネルの切り換えを行うことが可能となるのである。
【００３５】
前述した第１の実施形態では、選局音声信号および他局音声信号の各々における周波数成分を抽出することにより、選局音声信号が含まれるラジオ電波のラジオ放送局と同一放送を行う他のラジオ放送局の他局音声信号を判別した。しかしながら、これに限定されるものではなく、例えば選局音声信号および他局音声信号の各々における位相変化を抽出し、これが最も一致する他局音声信号を、同一放送を行う他のラジオ局の他局音声信号であると判別しても良い。
【００３６】
前述した第２の実施形態では、選局画像信号の示す画像と他局画像信号の各々の示す画像との一致度を算出することにより、選局画像信号が含まれるＴＶ電波のＴＶ放送局と同一放送を行っている他のＴＶ放送局の他局画像信号を判別した。しかしながら、これに限定されるものではなく、例えば選局画像信号の時間経過に伴う画像変化度合いと他局画像信号の各々における画像変化度合いとを算出し、これが最も一致する他局画像信号を、同一放送を行う他のＴＶ局の他局画像信号と判別しても良い。
【００３７】
前述した各実施形態では、ラジオ電波およびＴＶ電波のパワースペクトルから各電波の受信感度を算出した。しかしながら、これに限定されるものではなく、ラジオ電波およびＴＶ電波の振幅強度やエネルギー密度を算出することによって、当該各電波の受信感度を算出することとしても良い。
【００３８】
前述した各実施形態の選局切換装置は、車載用ラジオおよび車載用ＴＶに適用されたが、これに限定されるものではなく、移動体に搭載されたラジオおよびＴＶであれば、本装置を好適に利用できる。しかしながら、最も好適であるのは、車載用ラジオおよび車載用ＴＶに利用した場合であることを言及しておく。
【００３９】
前述した各実施形態の選局切換装置は、それぞれ単独でも十分な効果を発揮するが、これらを組み合わせて用いることにより、さらに十分な効果を発揮することができる。
【図面の簡単な説明】
【００４０】
【図１】本発明の第１の実施形態における選局切換装置の全体構成を示すブロック図である。
【図２】第１の実施形態の選局切換装置において、チューナＡが選局中のチャンネルを、同一放送が行われている他のチャンネルへと切り換える処理に関するフローチャートである。
【図３】本発明の第２の実施形態における選局切換装置の全体構成を示すブロック図である。
【図４】第２の実施形態の選局切換装置において、チューナＡが選局中のチャンネルを、同一放送が行われている他のチャンネルへと切り換える処理に関するフローチャートである。
【符号の説明】
【００４１】
１…アンテナＡ
２…アンテナＢ
３…チューナＡ
４…スピーカ
５…チューナＢ
６…周波数分析器
７…ＣＰＵ
８…選局スイッチ
９…モニタ
１０…画像認識機器
【図１】
2006295848.tif 000003
【図２】
2006295848.tif 000004
【図３】
2006295848.tif 000005
【図４】
2006295848.tif 000006